(57)【要約】【課題】簡易な構成で、複数のピンプラグを一体化及び別体化できるＲＣＡプラグ端子及びプラグ端子を提供する。【解決手段】複数のピンプラグ１０を有し、複数のピンジャック３０を有するＲＣＡジャック端子３に着脱自在なＲＣＡプラグ端子１において、複数のピンプラグ１０の各々は、ピン端子１１と、ピン端子１１の周囲を覆うカバー部１２と、を備え、カバー部１２には、凹部１３及び／又は凸部１４が設けられ、複数のピンプラグ１０は、一のピンプラグ１０のカバー部１２に設けられた凹部１３に他の一のピンプラグ１０のカバー部１２に設けられた凸部１４が係合して一体化されるとともに着脱自在とされ、複数のピンプラグ１０が別体化された状態でＲＣＡジャック端子３に装着可能であるとともに、複数のピンプラグ１０が一体化された状態でＲＣＡジャック端子３に装着可能である。【選択図】図３
2008166051.tif 000002
【特許請求の範囲】
【請求項１】
映像信号用ピンプラグと音声左信号用ピンプラグと音声右信号用ピンプラグとの３つのピンプラグを有し、映像信号用ピンジャックと音声左信号用ピンジャックと音声右信号用ピンジャックとの３つのピンジャックを有するＲＣＡジャック端子に着脱自在なＲＣＡプラグ端子において、
前記３つのピンプラグの各々は、ピン端子と、当該ピン端子の周囲を覆うカバー部と、を備え、
前記映像信号用ピンプラグのカバー部には、凸部が設けられ、
前記音声左信号用ピンプラグのカバー部と前記音声右信号用ピンプラグのカバー部のうち、一方のカバー部には２つの凹部が対向して設けられ、他方のカバー部には凹部と凸部が対向して設けられ、
前記３つのピンプラグは、前記一方のカバー部の一の凹部に前記他方のカバー部に設けられた凸部が係合し、かつ、前記一方のカバー部に設けられた他の一の凹部又は前記他方のカバー部に設けられた凹部に前記映像信号用ピンプラグのカバー部に設けられた凸部が係合して一体化されるとともに着脱自在とされ、
前記凸部は、先端に被係止部を備え、
前記凹部は、当該凹部における前記凸部の挿入方向に垂直な方向に複数の係止部を備え、
前記凹部に前記凸部が係合する際、前記被係止部は前記複数の係止部のうち何れかの係止部に係止されるよう構成され、
前記３つのピンプラグが別体化された状態で前記ＲＣＡジャック端子に装着可能であるとともに、前記３つのピンプラグが一体化された状態で前記ＲＣＡジャック端子に装着可能であることを特徴とするＲＣＡプラグ端子。
【請求項２】
複数のピンプラグを有し、複数のピンジャックを有するジャック端子に着脱自在なプラグ端子において、
前記複数のピンプラグの各々は、ピン端子と、当該ピン端子の周囲を覆うカバー部と、を備え、
前記カバー部には、係合部及び／又は被係合部が設けられ、
前記複数のピンプラグは、一のピンプラグのカバー部に設けられた係合部に他の一のピンプラグのカバー部に設けられた被係合部が係合して一体化されるとともに着脱自在とされ、
前記複数のピンプラグが別体化された状態で前記ジャック端子に装着可能であるとともに、前記複数のピンプラグが一体化された状態で前記ジャック端子に装着可能であることを特徴とするプラグ端子。
【請求項３】
複数のピンプラグを有し、複数のピンジャックを有するジャック端子に着脱自在なプラグ端子において、
前記複数のピンプラグの各々は、ピン端子と、当該ピン端子の周囲を覆うカバー部と、を備え、
前記カバー部には、凹部及び／又は凸部が設けられ、
前記複数のピンプラグは、一のピンプラグのカバー部に設けられた凹部に他の一のピンプラグのカバー部に設けられた凸部が係合して一体化されるとともに着脱自在とされ、
前記複数のピンプラグが別体化された状態で前記ジャック端子に装着可能であるとともに、前記複数のピンプラグが一体化された状態で前記ジャック端子に装着可能であることを特徴とするプラグ端子。
【請求項４】
請求項３に記載のプラグ端子において、
前記凸部は、先端に被係止部を備え、
前記凹部は、係止部を備え、
前記凹部に前記凸部が係合する際、前記被係止部は前記係止部に係止されるよう構成されていることを特徴とするプラグ端子。
【請求項５】
請求項２〜４の何れか一項に記載のプラグ端子において、
前記複数のピンプラグが一体化する際、一のピンプラグのピン端子と当該一のピンプラグに隣り合うピンプラグのピン端子との間の距離は、複数段階に調整可能であることを特徴とするプラグ端子。
【請求項６】
請求項４に記載のプラグ端子において、
前記係止部は、前記凹部における前記凸部の挿入方向に垂直な方向に複数備えられ、
前記凹部に前記凸部が係合する際、前記被係止部は複数の前記係止部のうち何れかの係止部に係止されるよう構成されていることを特徴とするプラグ端子。
【発明の詳細な説明】
【技術分野】
【０００１】
本発明は、ＲＣＡプラグ端子及びプラグ端子に関する。
【背景技術】
【０００２】
従来、映像・音響機器を備える入出力端子としてＲＣＡ端子が知られている。ＲＣＡ端子は、金属の棒でできたピン端子を有するピンプラグと、当該ピン端子を差し込む穴を有するピンジャックと、からなる。
【０００３】
一般に、映像・音響機器同士を接続する際、映像信号用ピンプラグと、音声左信号用ピンプラグと、音声右信号用ピンプラグと、の３つのピンプラグをそれぞれピンジャックに装着する必要があるとともに、映像・音響機器同士の接続を絶つ際、映像信号用ピンプラグと、音声左信号用ピンプラグと、音声右信号用ピンプラグと、の３つのピンプラグをそれぞれピンジャックから離脱させる必要がある。そのため、ピンジャックに対するピンプラグの着脱動作は、ユーザにとって煩わしいという問題がある。
【０００４】
そこで、例えば、複数のピンプラグを１つのコネクタに接続しておくとともに、複数のピンジャックを１つのコネクタに接続しておき、そして、複数のピンプラグが接続されたコネクタと、複数のピンジャックが接続されたコネクタと、を着脱させることによって、１回の装着動作又は離脱動作で、複数のピンプラグとピンジャックとを着脱できるワンタッチコネクタシステム（例えば、特許文献１参照）や、例えば、複数のピンプラグをその外面で固定する固定部材で一体化しておくことによって、１回の装着動作又は離脱動作で複数のピンプラグとピンジャックとを着脱できるプラグコネクタ（例えば、特許文献２参照）が提案された。
【特許文献１】特開平１０−１９９６３２号公報
【特許文献２】特開２００４−２８１３３８号公報
【発明の開示】
【発明が解決しようとする課題】
【０００５】
しかしながら、特許文献１に開示された技術では、別部材（コネクタ）を用いなければ複数のピンプラグを一体化させることができず、また、ピンジャックも別部材を用いて一体化しておかなければならないため、部材が増えてしまう、その別部材が紛失してしまう、等の問題があり、有効性に欠ける。
また、特許文献２に開示された技術では、複数のピンプラグは固定部材で予め一体化されているため、従来のように複数のピンプラグを別個独立に扱いたいユーザにとってユーザビリティに欠ける。
【０００６】
本発明の課題は、簡易な構成で、複数のピンプラグを一体化及び別体化できるＲＣＡプラグ端子及びプラグ端子を提供することにある。
【課題を解決するための手段】
【０００７】
上記課題を解決するために、請求項１に記載の発明は、
映像信号用ピンプラグと音声左信号用ピンプラグと音声右信号用ピンプラグとの３つのピンプラグを有し、映像信号用ピンジャックと音声左信号用ピンジャックと音声右信号用ピンジャックとの３つのピンジャックを有するＲＣＡジャック端子に着脱自在なＲＣＡプラグ端子において、
前記３つのピンプラグの各々は、ピン端子と、当該ピン端子の周囲を覆うカバー部と、を備え、
前記映像信号用ピンプラグのカバー部には、凸部が設けられ、
前記音声左信号用ピンプラグのカバー部と前記音声右信号用ピンプラグのカバー部のうち、一方のカバー部には２つの凹部が対向して設けられ、他方のカバー部には凹部と凸部が対向して設けられ、
前記３つのピンプラグは、前記一方のカバー部の一の凹部に前記他方のカバー部に設けられた凸部が係合し、かつ、前記一方のカバー部に設けられた他の一の凹部又は前記他方のカバー部に設けられた凹部に前記映像信号用ピンプラグのカバー部に設けられた凸部が係合して一体化されるとともに着脱自在とされ、
前記凸部は、先端に被係止部を備え、
前記凹部は、当該凹部における前記凸部の挿入方向に垂直な方向に複数の係止部を備え、
前記凹部に前記凸部が係合する際、前記被係止部は前記複数の係止部のうち何れかの係止部に係止されるよう構成され、
前記３つのピンプラグが別体化された状態で前記ＲＣＡジャック端子に装着可能であるとともに、前記３つのピンプラグが一体化された状態で前記ＲＣＡジャック端子に装着可能であることを特徴とする。
【０００８】
請求項２に記載の発明は、
複数のピンプラグを有し、複数のピンジャックを有するジャック端子に着脱自在なプラグ端子において、
前記複数のピンプラグの各々は、ピン端子と、当該ピン端子の周囲を覆うカバー部と、を備え、
前記カバー部には、係合部及び／又は被係合部が設けられ、
前記複数のピンプラグは、一のピンプラグのカバー部に設けられた係合部に他の一のピンプラグのカバー部に設けられた被係合部が係合して一体化されるとともに着脱自在とされ、
前記複数のピンプラグが別体化された状態で前記ジャック端子に装着可能であるとともに、前記複数のピンプラグが一体化された状態で前記ジャック端子に装着可能であることを特徴とする。
【０００９】
請求項３に記載の発明は、
複数のピンプラグを有し、複数のピンジャックを有するジャック端子に着脱自在なプラグ端子において、
前記複数のピンプラグの各々は、ピン端子と、当該ピン端子の周囲を覆うカバー部と、を備え、
前記カバー部には、凹部及び／又は凸部が設けられ、
前記複数のピンプラグは、一のピンプラグのカバー部に設けられた凹部に他の一のピンプラグのカバー部に設けられた凸部が係合して一体化されるとともに着脱自在とされ、
前記複数のピンプラグが別体化された状態で前記ジャック端子に装着可能であるとともに、前記複数のピンプラグが一体化された状態で前記ジャック端子に装着可能であることを特徴とする。
【００１０】
請求項４に記載の発明は、
請求項３に記載のプラグ端子において、
前記凸部は、先端に被係止部を備え、
前記凹部は、係止部を備え、
前記凹部に前記凸部が係合する際、前記被係止部は前記係止部に係止されるよう構成されていることを特徴とする。
【００１１】
請求項５に記載の発明は、
請求項２〜４の何れか一項に記載のプラグ端子において、
前記複数のピンプラグが一体化する際、一のピンプラグのピン端子と当該一のピンプラグに隣り合うピンプラグのピン端子との間の距離は、複数段階に調整可能であることを特徴とする。
【００１２】
請求項６に記載の発明は、
請求項４に記載のプラグ端子において、
前記係止部は、前記凹部における前記凸部の挿入方向に垂直な方向に複数備えられ、
前記凹部に前記凸部が係合する際、前記被係止部は複数の前記係止部のうち何れかの係止部に係止されるよう構成されていることを特徴とする。
【発明の効果】
【００１３】
請求項１に記載の発明によれば、映像信号用ピンプラグと音声左信号用ピンプラグと音声右信号用ピンプラグとの３つのピンプラグの各々は、ピン端子と、当該ピン端子の周囲を覆うカバー部と、を備え、映像信号用ピンプラグのカバー部には、凸部が設けられ、音声左信号用ピンプラグのカバー部と音声右信号用ピンプラグのカバー部のうち、一方のカバー部には２つの凹部が対向して設けられ、他方のカバー部には凹部と凸部が対向して設けられ、３つのピンプラグは、一方のカバー部の一の凹部に他方のカバー部に設けられた凸部が係合し、かつ、一方のカバー部に設けられた他の一の凹部又は他方のカバー部に設けられた凹部に映像信号用ピンプラグのカバー部に設けられた凸部が係合して一体化されるとともに着脱自在とされ、３つのピンプラグが別体化された状態でＲＣＡジャック端子に装着可能であるとともに、３つのピンプラグが一体化された状態でＲＣＡジャック端子に装着可能である。
すなわち、映像信号用ピンプラグのカバー部、音声左信号用ピンプラグのカバー部、音声右信号用ピンプラグのカバー部に、凹部及び／又は凸部を設けるだけの簡易な構成で、３つのピンプラグを一体化及び別体化できる。
【００１４】
また、凸部は、先端に被係止部を備え、凹部は、当該凹部における凸部の挿入方向に垂直な方向に複数の係止部を備え、凹部に凸部が係合する際、被係止部は複数の係止部のうち何れかの係止部に係止されるよう構成されている。
すなわち、ピンプラグが一体化された際、被係止部は係止部に係止されるため、ピンプラグの一体化状態を維持することができることとなって、使い勝手がよい。さらに、ＲＣＡジャック端子のピンジャック同士の間隔に応じて、ピンプラグ同士の間隔を調整することができるとともに、その間隔調整後の状態を係止部と被係止部とによって維持することができるため、利便性が高い。
【００１５】
請求項２に記載の発明によれば、複数のピンプラグの各々は、ピン端子と、当該ピン端子の周囲を覆うカバー部と、を備え、カバー部には、係合部及び／又は被係合部が設けられ、複数のピンプラグは、一のピンプラグのカバー部に設けられた係合部に他の一のピンプラグのカバー部に設けられた被係合部が係合して一体化されるとともに着脱自在とされ、複数のピンプラグが別体化された状態でジャック端子に装着可能であるとともに、複数のピンプラグが一体化された状態でジャック端子に装着可能である。
すなわち、ピンプラグのカバー部に係合部及び／又は被係合部を設けるだけの簡易な構成で、複数のピンプラグを一体化及び別体化できる。
【００１６】
請求項３に記載の発明によれば、複数のピンプラグの各々は、ピン端子と、当該ピン端子の周囲を覆うカバー部と、を備え、カバー部には、凹部及び／又は凸部が設けられ、複数のピンプラグは、一のピンプラグのカバー部に設けられた凹部に他の一のピンプラグのカバー部に設けられた凸部が係合して一体化されるとともに着脱自在とされ、複数のピンプラグが別体化された状態でジャック端子に装着可能であるとともに、複数のピンプラグが一体化された状態でジャック端子に装着可能である。
すなわち、ピンプラグのカバー部に凹部及び／又は凸部を設けるだけの簡易な構成で、複数のピンプラグを一体化及び別体化できる。
【００１７】
請求項４に記載の発明によれば、請求項３に記載の発明と同様の効果が得られることは無論のこと、凸部は、先端に被係止部を備え、凹部は、係止部を備え、凹部に凸部が係合する際、被係止部は係止部に係止されるよう構成されている。
すなわち、ピンプラグが一体化された際、被係止部は係止部に係止されるため、ピンプラグの一体化状態を維持することができることとなって、使い勝手がよい。
【００１８】
請求項５に記載の発明によれば、請求項２〜４の何れか一項に記載の発明と同様の効果が得られることは無論のこと、複数のピンプラグが一体化する際、一のピンプラグのピン端子と当該一のピンプラグに隣り合うピンプラグのピン端子との間の距離は、複数段階に調整可能である。
したがって、ジャック端子のピンジャック同士の間隔に応じて、ピンプラグ同士の間隔を調整することができるため、利便性が高い。
【００１９】
請求項６に記載の発明によれば、請求項４に記載の発明と同様の効果が得られることは無論のこと、係止部は、凹部における凸部の挿入方向に垂直な方向に複数備えられ、凹部に凸部が係合する際、被係止部は複数の係止部のうち何れかの係止部に係止されるよう構成されている。
したがって、ジャック端子のピンジャック同士の間隔に応じて、ピンプラグ同士の間隔を調整することができるとともに、その間隔調整後の状態を係止部と被係止部とによって維持することができるため、利便性が高い。
【発明を実施するための最良の形態】
【００２０】
以下、図を参照して、本発明にかかるＲＣＡプラグ端子及びプラグ端子の最良の形態を詳細に説明する。なお、発明の範囲は、図示例に限定されない。
本実施の形態では、プラグ端子としてＲＣＡ端子を例示して説明することとする。
【００２１】
＜ＲＣＡプラグ端子の構成＞
ＲＣＡプラグ端子１は、例えば、図１に示すように、映像信号用ケーブルＣ１の先端に接続された映像信号用ピンプラグ１０１と、音声左信号用ケーブルＣ２の先端に接続された音声左信号用ピンプラグ１０２と、音声右信号用ケーブルＣ３の先端に接続された音声右信号用ピンプラグ１０３と、の３つのピンプラグ１０，１０，１０を有し、例えば、図２に示す、映像信号用ピンジャック３０１と音声左信号用ピンジャック３０２と音声右信号用ピンジャック３０３との３つのピンジャック３０，３０，３０を有するＲＣＡジャック端子３に着脱自在である。
【００２２】
ＲＣＡプラグ端子１の３つのピンプラグ１０，１０，１０は、例えば、図３に示すように、一体化されるとともに着脱自在とされる。
そして、ＲＣＡプラグ端子１は、例えば、３つのピンプラグ１０，１０，１０が別体化された状態でＲＣＡジャック端子３に装着可能であるとともに、例えば、図３に示すように、３つのピンプラグ１０，１０，１０が一体化された状態でＲＣＡジャック端子３に装着可能である。
【００２３】
（ピンプラグの構成）
３つのピンプラグ１０，１０，１０の各々は、ケーブルＣ１，Ｃ２，Ｃ３に対向する位置に設けられたピン端子１１と、ピン端子１１の周囲を覆うカバー部１２と、を備えている。
【００２４】
ピン端子１１は、例えば、金属の棒などであり、例えば、ＲＣＡプラグ端子１がＲＣＡジャック端子３に装着されると、ピンジャック３０に備えられた穴３１に差し込まれた状態となって、ＲＣＡプラグ端子１とＲＣＡジャック端子３とを電気的に接続する。
具体的には、例えば、映像信号用ピンプラグ１０１が映像信号用ピンジャック３０１に装着されると、映像信号用ピンプラグ１０１のピン端子１１が映像信号用ピンジャック３０１の穴３１に差し込まれた状態となって、映像信号用ピンプラグ１０１と映像信号用ピンジャック３０１との間で映像信号を入出力できるようになり、例えば、音声左信号用ピンプラグ１０２が音声左信号用ピンジャック３０２に装着されると、音声左信号用ピンプラグ１０２のピン端子１１が音声左信号用ピンジャック３０２の穴３１に差し込まれた状態となって、音声左信号用ピンプラグ１０２と音声左信号用ピンジャック３０２との間で音声左信号を入出力できるようになり、例えば、音声右信号用ピンプラグ１０３が音声右信号用ピンジャック３０３に装着されると、音声右信号用ピンプラグ１０３のピン端子１１が音声右信号用ピンジャック３０３の穴３１に差し込まれた状態となって、音声右信号用ピンプラグ１０３と音声右信号用ピンジャック３０３との間で音声右信号を入出力できるようになる。
【００２５】
カバー部１２は、例えば、合成樹脂等から形成されており、例えば、略直方体形状をなしている。
【００２６】
例えば、映像信号用ピンプラグ１０１のカバー部１２は黄色、音声左信号用ピンプラグ１０２のカバー部１２は白色、音声右信号用ピンプラグ１０３のカバー部１２は赤色である。
これにより、例えば、カバー部１２が黄色の映像信号用ピンプラグ１０１を、穴３１の周囲が黄色の映像信号用ピンジャック３０１に接続し、カバー部１２が白色の音声左信号用ピンプラグ１０２を、穴３１の周りが白色の音声左信号用ピンジャック３０２に接続し、カバー部１２が赤色の音声右信号用ピンプラグ１０３を、穴３１の周りが赤色の音声右信号用ピンジャック３０３に接続することができることになって、ＲＣＡプラグ端子１をＲＣＡジャック端子３に正しく配線できるようになっている。
【００２７】
カバー部１２におけるピン端子１１の軸と平行する面には、例えば、ピン端子１１の軸方向に沿って、係合部としての凹部１３及び／又は被係合部としての凸部１４が設けられている。
具体的には、例えば、図１に示すように、映像信号用ピンプラグ１０１のカバー部１２には、凸部１４が設けられ、音声左信号用ピンプラグ１０２のカバー部１２には、２つの凹部１３，１３が対向して設けられ、音声右信号用ピンプラグ１０３のカバー部１２には、凹部１３と凸部１４が対向して設けられている。
【００２８】
３つのピンプラグ１０，１０，１０は、一のピンプラグ１０のカバー部１２に設けられた凹部１３に他の一のピンプラグ１０のカバー部１２に設けられた凸部１４が係合して一体化されるとともに着脱自在とされるようになっている。
【００２９】
具体的には、３つのピンプラグ１０，１０，１０は、例えば、図４に示すように、音声左信号用ピンプラグ１０２のカバー部１２に設けられた一方の凹部１３に音声右信号用ピンプラグ１０３のカバー部１２に設けられた凸部１４が係合し、かつ、音声左信号用ピンプラグ１０２のカバー部１２に設けられた他方の凹部１３に映像信号用ピンプラグ１０１のカバー部１２に設けられた凸部１４が係合して一体化されるとともに着脱自在とされるようになっており、例えば、図５に示すように、音声左信号用ピンプラグ１０２のカバー部１２に設けられた一方の凹部１３に音声右信号用ピンプラグ１０３のカバー部１２に設けられた凸部１４が係合し、かつ、音声右信号用ピンプラグ１０３のカバー部１２に設けられた凹部１３に映像信号用ピンプラグ１０１のカバー部１２に設けられた凸部１４が係合して一体化されるとともに着脱自在とされるようになっている。
すなわち、３つのピンプラグ１０，１０，１０は、例えば、図４に示すように、「映像信号用ピンプラグ１０１」→「音声左信号用ピンプラグ１０２」→「音声右信号用ピンプラグ１０３」の順に並んで、或いは、例えば、図５に示すように、「映像信号用ピンプラグ１０１」→「音声右信号用ピンプラグ１０３」→「音声左信号用ピンプラグ１０２」の順に並んで一体化されるようになっている。
これにより、ＲＣＡジャック端子３の３つのピンジャック３０，３０，３０が、例えば、図２に示すように、「映像信号用ピンジャック３０１」→「音声左信号用ピンジャック３０２」→「音声右信号用ピンジャック３０３」の順に並んでいる場合であっても、例えば、「映像信号用ピンジャック３０１」→「音声右信号用ピンジャック３０３」→「音声左信号用ピンジャック３０２」の順に並んでいる場合であっても、ＲＣＡプラグ端子１の３つのピンプラグ１０，１０，１０が一体化された状態でＲＣＡジャック端子３に装着可能となっている。
【００３０】
さらに、３つのピンプラグ１０，１０，１０は、一体化する際、一のピンプラグ１０のピン端子１１と当該一のピンプラグ１０に隣り合うピンプラグ１０のピン端子１１との間の距離は、複数段階に調整可能となっている。
【００３１】
具体的には、例えば、図１や図４に示すように、凸部１４は、先端に被係止部１４ａを備え、凹部１３は、凹部１３における凸部１４の挿入方向に垂直な方向に複数（例えば、２つ）の係止部１３ａ，１３ａを備えている。
そして、例えば、図４及び図６に示すように、凹部１３に凸部１４が係合する際、被係止部１４ａは２つの係止部１３ａ，１３ａのうち何れかの係止部１３ａに係止されるよう構成されており、ピン端子１１同士の間隔を複数段階（２段階）に調整可能となっている。
これにより、例えば、ＲＣＡジャック端子３の３つのピンジャック３０，３０，３０同士の間隔が、Ｌ１であっても、Ｌ１よりも大きいＬ２であっても、ＲＣＡプラグ端子１の３つのピンプラグ１０，１０，１０が一体化された状態でＲＣＡジャック端子３に装着可能となっている。
また、例えば、ＲＣＡジャック端子３の３つのピンジャック３０，３０，３０同士の間隔が、同一でなくても、すなわち、例えば、「映像信号用ピンジャック３０１」と「音声左信号用ピンジャック３０２」との間がＬ２であるとともに、「音声左信号用ピンジャック３０２」と「音声右信号用ピンジャック３０３」との間がＬ１であっても、ＲＣＡプラグ端子１の３つのピンプラグ１０，１０，１０が一体化された状態でＲＣＡジャック端子３に装着可能となっている。
【００３２】
以上説明した本発明のＲＣＡプラグ端子１によれば、映像信号用ピンプラグ１０１と音声左信号用ピンプラグ１０２と音声右信号用ピンプラグ１０３との３つのピンプラグ１０，１０，１０の各々は、ピン端子１１と、ピン端子１１の周囲を覆うカバー部１２と、を備え、映像信号用ピンプラグ１０１のカバー部１２には、凸部１４が設けられ、音声左信号用ピンプラグ１０２のカバー部１２には、２つの凹部１３，１３が対向して設けられ、音声右信号用ピンプラグ１０３のカバー部１２には、凹部１３と凸部１４が対向して設けられ、３つのピンプラグ１０，１０，１０は、音声左信号用ピンプラグ１０２のカバー部１２に設けられた一方の凹部１３に音声右信号用ピンプラグ１０３のカバー部１２に設けられた凸部１４が係合し、かつ、音声左信号用ピンプラグ１０２のカバー部１２に設けられた他方の凹部１３又は音声右信号用ピンプラグ１０３のカバー部１２に設けられた凹部１３に映像信号用ピンプラグ１０１のカバー部１２に設けられた凸部１４が係合して一体化されるとともに着脱自在とされ、３つのピンプラグ１０，１０，１０が別体化された状態でＲＣＡジャック端子３に装着可能であるとともに、３つのピンプラグ１０，１０，１０が一体化された状態でＲＣＡジャック端子３に装着可能である。
すなわち、映像信号用ピンプラグ１０１のカバー部１２に凸部１４を設け、音声左信号用ピンプラグ１０２のカバー部１２に２つの凹部１３，１３を設け、音声右信号用ピンプラグ１０３のカバー部１２に凹部１３と凸部１４を設けるだけの簡易な構成で、３つのピンプラグ１０，１０，１０を一体化及び別体化できる。
したがって、特に、３つのピンプラグ１０，１０，１０が一体化された場合は、１回の装着動作又は離脱動作で、ＲＣＡプラグ端子１をＲＣＡジャック端子３に着脱できるため、利便性が高い。
【００３３】
また、凸部１４は、先端に被係止部１４ａを備え、凹部１３は、凹部１３における凸部１４の挿入方向に垂直な方向に２つの係止部１３ａ，１３ａを備え、凹部１３に凸部１４が係合する際、被係止部１４ａは２つの係止部１３ａ，１３ａのうち何れかの係止部１３ａに係止されるよう構成されている。
すなわち、３つのピンプラグ１０，１０，１０が一体化された際、被係止部１４ａは係止部１３ａに係止されるため、３つのピンプラグ１０，１０，１０の一体化状態を維持することができることとなって、使い勝手がよい。さらに、ＲＣＡジャック端子３のピンジャック３０同士の間隔に応じて、ピンプラグ１０同士の間隔を調整することができるとともに、その間隔調整後の状態を係止部１３ａと被係止部１４ａとによって維持することができるため、利便性が高い。
【００３４】
なお、本発明は、上記した実施の形態のものに限るものではなく、その要旨を逸脱しない範囲で適宜変更可能である。
【００３５】
プラグ端子は、ＲＣＡプラグ端子１に限るものではなく、複数のピンプラグ１０を有し、複数のピンジャック３０を有するジャック端子に着脱自在であれば任意である。
また、プラグ端子が有するピンプラグ１０の個数は、３個に限るものではなく、複数であれば任意である。
【００３６】
映像信号用ピンプラグ１０１のカバー部１２に凸部１４を設け、音声左信号用ピンプラグ１０２のカバー部１２に２つの凹部１３，１３を設け、音声右信号用ピンプラグ１０３のカバー部１２に凹部１３及び凸部１４を設けるよう構成したが、これに限るものではなく、カバー部１２には、ＲＣＡプラグ端子１に備えられた映像信号用ピンプラグ１０１と音声左信号用ピンプラグ１０２と音声右信号用ピンプラグ１０３とを一体化できるよう、凹部１３及び／又は凸部１４が設けられていればよく、例えば、映像信号用ピンプラグ１０１のカバー部１２に凸部１４を設け、音声左信号用ピンプラグ１０２のカバー部１２に凹部１３及び凸部１４を設け、音声右信号用ピンプラグ１０３のカバー部１２に２つの凹部１３，１３を設けるよう構成してもよい。
【００３７】
係合部（凹部１３）及び被係合部（凸部１４）の形状は、係合部に被係合部が係合して、ＲＣＡプラグ端子１に備えられた映像信号用ピンプラグ１０１と音声左信号用ピンプラグ１０２と音声右信号用ピンプラグ１０３とを一体化できる形状であれば任意である。
【００３８】
凹部１３に備えられた係止部１３ａの個数は、２個に限るものではなく、１又は複数であればよい。
【００３９】
係止部１３ａ及び被係止部１４ａの形状は、係止部１３ａが被係止部１４ａに係止して、ＲＣＡプラグ端子１に備えられた映像信号用ピンプラグ１０１と音声左信号用ピンプラグ１０２と音声右信号用ピンプラグ１０３との一体化状態を維持できる形状であれば任意である。
【００４０】
凹部１３及び凸部１４を、カバー部１２におけるピン端子１１の軸と平行する面にピン端子１１の軸方向に沿って設けるようにしたが、これに限るものではなく、ＲＣＡプラグ端子１に備えられた映像信号用ピンプラグ１０１と音声左信号用ピンプラグ１０２と音声右信号用ピンプラグ１０３とを一体化できるのであれば、例えば、図７及び図８に示すＲＣＡプラグ端子１の変形例としてのＲＣＡプラグ端子１Ａのように、ピンプラグ１０Ａ（映像信号用ピンプラグ１０１Ａと音声左信号用ピンプラグ１０２Ａと音声右信号用ピンプラグ１０３Ａ）のカバー部１２Ａにおけるピン端子１１の軸と平行する面の略中央に凹部１３Ａ及び凸部１４Ａを設けるようにしてもよい。
この場合、一体化された３つのピンプラグ１０Ａ，１０Ａ，１０Ａが、ピン端子１１の軸方向にずれないため、３つのピンプラグ１０Ａ，１０Ａ，１０Ａを一体化させて、ＲＣＡプラグ端子１ＡをＲＣＡジャック端子３に着脱させる際、使い勝手がよい。
【図面の簡単な説明】
【００４１】
【図１】本発明にかかるＲＣＡプラグ端子において、３つのピンプラグを別体化させた状態の正面斜視図（ａ）及び側面図（ｂ）である。
【図２】本発明にかかるＲＣＡプラグ端子が着脱されるＲＣＡジャック端子の正面図である。
【図３】本発明にかかるＲＣＡプラグ端子において、３つのピンプラグを一体化させた状態でＲＣＡジャック端子に着脱させる様子を示す図である。
【図４】本発明にかかるＲＣＡプラグ端子において、３つのピンプラグを映像信号用ピンプラグ、音声左信号用ピンプラグ、音声右信号用ピンプラグの順に並ぶよう一体化させた状態を示す図である。
【図５】本発明にかかるＲＣＡプラグ端子において、３つのピンプラグを映像信号用ピンプラグ、音声右信号用ピンプラグ、音声左信号用ピンプラグの順に並ぶよう一体化させた状態を示す図である。
【図６】本発明にかかるＲＣＡプラグ端子において、ピンプラグ同士の間の距離が図４の場合よりも大きくなるよう調整された状態を示す図である。
【図７】本発明にかかるＲＣＡプラグ端子の変形例において、３つのピンプラグを別体化させた状態の正面斜視図（ａ）及び側面図（ｂ）である。
【図８】本発明にかかるＲＣＡプラグ端子の変形例において、本発明にかかるＲＣＡプラグ端子において、３つのピンプラグを映像信号用ピンプラグ、音声左信号用ピンプラグ、音声右信号用ピンプラグの順に並ぶよう一体化させた状態を示す図である。
【符号の説明】
【００４２】
１  ＲＣＡプラグ端子
３  ＲＣＡジャック端子
１０  ピンプラグ
１１  ピン端子
１２  カバー部
１３  凹部（係合部）
１３ａ  係止部
１４  凸部（被係合部）
１４ａ  被係止部
３０  ピンジャック
１０１  映像信号用ピンプラグ
１０２  音声左信号用ピンプラグ
１０３  音声右信号用ピンプラグ
３０１  映像信号用ピンジャック
３０２  音声左信号用ピンジャック
３０３  音声右信号用ピンジャック
【図１】
2008166051.tif 000003
【図２】
2008166051.tif 000004
【図３】
2008166051.tif 000005
【図４】
2008166051.tif 000006
【図５】
2008166051.tif 000007
【図６】
2008166051.tif 000008
【図７】
2008166051.tif 000009
【図８】
2008166051.tif 000010